(57)【特許請求の範囲】
【請求項１】
サンダを支持体に用いて手持ち式プレート転圧機を形成するための手持ち式プレート転圧機用セットであって、該セットは、該サンダに着脱自在に固定される転圧プレートと、該転圧プレートを該サンダに固定するための固定手段とからなり、該転圧プレートの該サンダに固定される面には面ファスナー（以下、「プレート側面ファスナー」）が固着されており、該固定手段は該プレート側面ファスナーに対応する面ファスナー（以下、「サンダ側面ファスナー」）であることを特徴とする、手持ち式プレート転圧機用セット。
【請求項２】
前記転圧プレートの前記サンダへの着脱は前記サンダ側面ファスナーを該サンダの研磨紙固定用クリップを用いて固定することによりなされることを特徴とする、請求項１に記載の手持ち式プレート転圧機用セット。
【請求項３】
前記転圧プレートは左官用のコテの形状を備えることを特徴とする、請求項１または２に記載の手持ち式プレート転圧機用セット。
【請求項４】
請求項１ないし３のいずれかに記載の手持ち式プレート転圧機用セット、およびサンダを用いて形成されていることを特徴とする、手持ち式プレート転圧機。
【発明の詳細な説明】
【技術分野】
【０００１】
本発明は手持ち式プレート転圧機および手持ち式プレート転圧機用セットに係り、特にマンホール周りの掘削工事、住宅基礎工事やブロック積み上げ工事などの転圧作業に便利な、手持ち式プレート転圧機等に関する。
【背景技術】
【０００２】
転圧機には種々の方式のものがあるが、このうちプレートコンパクタやタンパとも呼ばれる平板式の転圧機は、底についている板（プレート）がエンジンにより振動し、地面等の作業面を振動打撃することによって締め固めるものである。
【０００３】
さて平板式の転圧機を、道路工事等の広い場所ないしは比較的開放された場所ではなく、マンホール工事のような狭所の工事に使用したい場合、作業範囲が制限されているため、通常の転圧機では作業が不可能である。そこで、かかる狭所における転圧作業を可能にするための技術的提案も、従来なされている。
【０００４】
後掲特許文献１には、路面のマンホール周り等を掘削した掘削面の最小幅部でも転圧可能な転圧機として、操作用把手部とアタッチメント装着用チャック部とを有する手持ち式振動機本体と、軸部先端側に設けられていて振動機本体のアタッチメント装着用チャック部に着脱自在に装着されるシャンク部および軸部後端に形成された転圧部を備えた転圧用アタッチメントとから構成されていて、特に転圧部の横幅が路面等のマンホール周りを掘削して設けられた掘削部の最小幅部より小さく形成されている手持ち式振動転圧機について、開示されている。
【先行技術文献】
【特許文献】
【０００５】
【特許文献１】実開平６−４６０１１号公報「手持ち式振動転圧機」
【発明の概要】
【発明が解決しようとする課題】
【０００６】
しかし文献開示の技術は、マンホール周り掘削工事における転圧作業に用途を特化しているため、長尺の操作用把持部と転圧用アタッチメントとが必要な構成であり、しかもそのいずれもが当該用途にしか使えない専用品である。マンホール周り掘削工事に限定されないさらに広い用途に用いることができる技術があれば、便利である上、市場もより大きなものとなる。
【０００７】
また、既存の製品を利用して簡単に転圧機を構成することができれば、コスト低減にもなり、また便利である。
【０００８】
本願が解決しようとする課題は、かかる従来技術の問題点を解消し、マンホール周り掘削工事に限定されない広い用途に用いることのできる、手持ち式プレート転圧機を提供することである。特に、住宅基礎工事やブロック積み上げ工事など比較的小規模または狭所であって、従来であれば転圧作業が不可能または困難だった対象に用いることのできる、手持ち式プレート転圧機を提供することである。
【０００９】
また、本願が解決しようとする課題はさらに、既存の製品を利用して簡単かつ低廉に構成することのできる、手持ち式プレート転圧機を提供することである。
【課題を解決するための手段】
【００１０】
上記課題について検討した結果、本願発明者は、既存のサンダ（電動サンダ）に脱着可能な左官用コテ形のプレートを装着することにより、課題を解決できることに想到し、これを基礎として本発明の完成に至った。すなわち、上記課題を解決するための手段として本願で特許請求される発明、もしくは少なくとも開示される発明は、以下のとおりである。
【００１１】
〔１〕  サンダを支持体に用いて手持ち式プレート転圧機を形成するための手持ち式プレート転圧機用セットであって、該セットは、該サンダに着脱自在に固定される転圧プレートと、該転圧プレートを該サンダに固定するための固定手段とからなり、該転圧プレートの該サンダに固定される面には面ファスナー（以下、「プレート側面ファスナー」）が固着されており、該固定手段は該プレート側面ファスナーに対応する面ファスナー（以下、「サンダ側面ファスナー」）であることを特徴とする、手持ち式プレート転圧機用セット。
〔２〕  前記転圧プレートの前記サンダへの着脱は前記サンダ側面ファスナーを該サンダの研磨紙固定用クリップを用いて固定することによりなされることを特徴とする、〔１〕に記載の手持ち式プレート転圧機用セット。
【００１２】
〔３〕  前記転圧プレートは左官用のコテの形状を備えることを特徴とする、〔１〕または〔２〕に記載の手持ち式プレート転圧機用セット。
【００１３】
〔４〕  〔１〕ないし〔３〕のいずれかに記載の手持ち式プレート転圧機用セット、およびサンダを用いて形成されていることを特徴とする、手持ち式プレート転圧機。
【発明の効果】
【００１４】
本発明の手持ち式プレート転圧機および手持ち式プレート転圧機用セットは上述のように構成されるため、これによれば、マンホール周りの掘削工事だけではなく、住宅基礎工事やブロック積み上げ工事など比較的小規模または狭所における転圧作業に広く用いることができ、便利である。特に、従来であれば転圧作業が不可能または困難だった対象に対して、転圧作業を行うことができるようになる。
【００１５】
また、特定の構成の本発明によれば、既存の製品すなわちサンダを利用して、簡単にかつ低廉に、手持ち式プレート転圧機を構成することができる。つまり、既存のサンダに本発明の転圧プレートを装着することで、簡単に手持ち式プレート転圧機とすることができる。サンダには転圧プレートを脱着可能なため、転圧機として使用しない時には依然としてサンダとして使用できる。
【００１６】
また、従来は転圧機を用いることができずに手作業にて行うしかなかった狭小な空間における締め固めの作業にも、本発明の手持ち式プレート転圧機を用いることができる。したがって、作業工程の簡略化、作業性の向上、完工時間の短縮すなわち早期完成、作業時間の短縮、材料（水）の節約、強度と美観に優れた仕上がり、といった多くの効果を得ることができる。
【図面の簡単な説明】
【００１７】
【図１】本発明手持ち式プレート転圧機の基本構成を示す概念的な説明図である。
【図１−２】伝動プレートのある本発明手持ち式プレート転圧機の基本構成を示す概念的な説明図である。
【図２】本発明手持ち式プレート転圧機の実施例を示す写真図である。
【図３】図２の手持ち式プレート転圧機に係る転圧プレートを示す写真図である。
【図４】図２の手持ち式プレート転圧機に係る伝動プレートおよび周囲の構成を示す説明図である。
【図５Ａ】本発明転圧プレートの実施例を示す平面図（左）および底面図（右）である。
【図５Ｂ】図５Ａの実施例の正面図（上左）、背面図（上右）、右側面図（中）および左側面図（下）である。
【発明を実施するための形態】
【００１８】
本発明について、図面を用いてさらに詳細に説明する。
図１は、本発明手持ち式プレート転圧機の基本構成を示す概念的な説明図である。図示するように本発明の手持ち式プレート転圧機１０は、転圧用のプレートである転圧プレート１と、転圧プレート１を可動な状態で支持する支持体３とからなり、支持体３は振動を発生させるための振動発生部５と、操作用把持部８とを備えていることを、主たる構成とする。
【００１９】
転圧プレート１は、強度、硬度、耐久性、振動を十分に伝える特性など、転圧作業に適した特性を備えたものであれば、合成樹脂、金属その他如何なる材質のものも用いることができる。たとえばアルミニウム、アクリル樹脂、塩化ビニル樹脂等は転圧プレート１の材料として好適に用いることができる。
【００２０】
支持体３のフレーム（筐体）もまた、転圧作業に適した耐久性・作業性を有する材質であれば、合成樹脂を主として、如何なるものも使用できる。支持体３内に設けられる振動発生部５は振動エネルギーを発生させる構造であるが、これには電動式が最適である。たとえば既存のオービタルサンダにおける振動発生構造と同様な、モータおよびその駆動軸の回転に連動する偏心軸とにより、振動発生部を構成することができる。なお、操作用把持部８は本手持ち式プレート転圧機１０を使用者が手で持つ部分である。
【００２１】
転圧プレート１は振動発生部５と接続しており、振動発生部５において発生した振動が転圧プレート１に伝えられるため、転圧プレート１は可動な状態であり、かつ振動発生部５を含む支持体３により支持された状態となっている。
【００２２】
かかる構成により本発明手持ち式プレート転圧機１０は、把持部８でもって使用者によって把持された状態で、所定の駆動操作がなされて振動発生部５において振動が発生し、その振動が転圧プレート１に伝えられて転圧プレート１が振動する。振動する転圧プレート１が接する作業面（ワーク）を振動打撃することで、転圧作業がなされる。
【００２３】
本発明手持ち式プレート転圧機１０はそのサイズを、一般的な電動サンダのような手持ち携行可能な電動工具程度にすることができ、またその程度のサイズを主に想定しているものである。したがって、マンホール周り掘削工事・住宅基礎工事・ブロック積み上げ工事その他の比較的小規模または狭い場所に用途を限定した手持ち式プレート転圧機として用いてもよい。
【００２４】
図示するように本手持ち式プレート転圧機１０においては、転圧プレート１が振動発生部５に直接に接続して設けられた構成とすることもできる。たとえば、振動発生部５が上述の例のようにモータおよびその駆動軸の回転に連動する偏心軸とにより構成されている場合、当該偏心軸に転圧プレート１を直接接続した形態とすればよい。かかる構成をとった場合の手持ち式プレート転圧機１０は、後述する既存製品を利用する型の転圧機ではなく、当初から一体のもの、完成品としての形態の手持ち式プレート転圧機とすることができる。
【００２５】
図１−２は、伝動プレートのある本発明手持ち式プレート転圧機の基本構成を示す説明図である。図示するように本手持ち式プレート転圧機１１０は、支持体１３に、振動発生部１５からの振動を転圧プレート１１に伝動するための伝動プレート１４が備えられた構成とすることができる。かかる構成によって、当初から一体の完成品たる手持ち式プレート転圧機として提供することも可能であるが、むしろ本構成は、既存製品を利用する型の転圧機を想定し、かつそれに適したものであるといえる。
【００２６】
かかる構成により本発明手持ち式プレート転圧機１１０は、把持部１８でもって使用者によって把持された状態で、所定の駆動操作がなされて振動発生部１５において振動が発生し、その振動が伝動プレート１４を介して転圧プレート１１に伝えられ、転圧プレート１１が振動する。振動する転圧プレート１１が接する作業面（ワーク）を振動打撃することで、転圧作業がなされる。
【００２７】
なお伝動プレート１４は、強度、硬度、耐久性など、振動発生部１５からの振動を受けてこれを転圧プレート１１に伝動するのに適した特性を備えたものであれば、合成樹脂、金属その他如何なる材質のものも用いることができる。
【００２８】
図において転圧プレート１１は、支持体１３に着脱自在なものとすることができる。かかる構成により、支持体１３と転圧プレート１１とを別体としておき、転圧作業の必要な時には転圧プレート１１を支持体１３に取り付けて、使用することができる。かかる構成は、支持体１３として既存の製品を用いることとし、転圧プレート１１とこれを支持体１３に取り付ける手段のみを新たに準備することによって手持ち式プレート転圧機１１０とする方式を、可能とする。
【００２９】
振動発生部１５を備えた支持体１３に用いる既存製品としては、電動工具が適しており、特にサンダ、殊にオービタルサンダは本発明に好適に用いることができる。つまり、市販のサンダが１台あれば、後は転圧プレートとこれをサンダに取り付ける手段のみを新たに準備することによって、簡単に手持ち式プレート転圧機を作ることができる。転圧機として用いない時は、もちろん通常のサンダとして使用することができる。
【００３０】
転圧プレート１１を支持体１３に着脱するには、適宜の固定手段１２を用いる。たとえば、ねじ式手段または面ファスナーを好適に用いることができる。なお、概念的に説明した本図においては、固定手段１２は面ファスナーのような形態として示したが、本発明の固定手段がもちろんこれに限定されるものではない。
【００３１】
図２は、本発明手持ち式プレート転圧機の実施例を示す写真図である。図示するように本手持ち式プレート転圧機２１０は、支持体２３としてサンダを用いる構成とすることができる。なお図では、支持体２３たるサンダの一部のみを示している。本実施例では、市販のサンダを用い、これに別途製作した転圧プレート２１を取り付けることで、手持ち式プレート転圧機２１０を極めて簡単に構成している。
【００３２】
図３は、図２の手持ち式プレート転圧機に係る転圧プレートを示す写真図である。また、図４は図２の手持ち式プレート転圧機に係る伝動プレートおよび周囲の構成を示す説明図である。これらの図では、固定手段として面ファスナーを用いる場合の例を示している。図３に示すように転圧プレート２１は、左官用コテの形状の一つと同様の形状を備えた平板で、その一面には固定手段２２Ａとして、マジックテープ（登録商標）等の面ファスナーが設けられている。
【００３３】
一方、図４に示すように支持体２３の伝動プレート２４には、固定手段２２Ａに対応する固定手段２２Ｂとして、マジックテープ（登録商標）等の面ファスナーが一時的に取り付けられた状態である。固定手段２２Ｂに対して、転圧プレート２１の固定手段２２Ａが圧着されて一時的に固定されることで、本手持ち式プレート転圧機２１０となる。
【００３４】
なお、図３において、固定手段２２Ａは転圧プレート２１に固着された状態とすることで、支持体２３への着脱を迅速かつ容易に行うことができるため、望ましい。かかる転圧プレート自体も本発明の範囲内である。また、図４において、固定手段２２Ｂたる面ファスナーは、支持体２３たるサンダの、研磨紙固定用のクリップを用いて、固定するものとすることができる。
【００３５】
また、支持体に着脱自在に固定するための固定手段は面ファスナーに限定されず、たとえば上述したねじ式の構造であってもよい。要するに、支持体の伝動プレートへの一時的固定を、転圧作業に十分な程度に確実かつ強固に行える手段であればよい。
【００３６】
図５Ａは、本発明転圧プレートの実施例を示す平面図（左）および底面図（右）である。また、図５Ｂは図５Ａの実施例の正面図（上左）、背面図（上右）、右側面図（中）および左側面図（下）である。なお本例では、プレート本体に塩化ビニル樹脂製の板を用い、また固定手段として面ファスナー（業務用のマジックテープ（登録商標））を、固着して用いている。これらに示すように、本発明の転圧プレートは簡素な構造であり、製造も容易である。
【００３７】
なお、サンダに固定手段によって着脱自在に固定される転圧プレートと、当該固定手段とからなる手持ち式プレート転圧機用セットもまた、本発明の一つのカテゴリーである。ここで固定手段は、（ア）転圧プレートに後から取り付けて用いるもの、（イ）サンダに取り付けて用いるもの、（ウ）転圧プレートとサンダそれぞれに取り付けて用いるもの、のいずれの場合も含む。
【００３８】
図３および４で示した面ファスナーの例では、当該セットの段階で既に転圧プレートに面ファスナーが固着されている場合には、当該セットを構成する固定手段としては（イ）が該当する。一方、当該セットの段階では転圧プレートに面ファスナーが固着されていない場合には、当該セットを構成する固定手段としては（ウ）が該当する。ねじ式等その他の固定手段の場合も同様である。
【００３９】
また、上述の転圧プレートを付属品として備えているサンダもまた、本発明の一つのカテゴリーである。
【実施例】
【００４０】
既出図２、３および４を用いて説明した本発明の実施例について、さらに詳細に説明するが、本発明がこれに限定されるものではない。
転圧プレートの大きさは、全長２８ｃｍ程度、横幅１３ｃｍ程度、厚さ５ｍｍ以上１０ｍｍ未満とし、素材としてはアルミニウム、アクリル樹脂、塩化ビニル樹脂を好適に用いることができるが、実施例では塩化ビニル樹脂を用いた。転圧プレートは、転圧作業の後に型が残らないように、面取りした。
【００４１】
転圧プレートの形状としては、左官作業で使用されるコテの形状を用いるのがよい。左官用コテの形状は手で把持して使用する際の作業性や細部への施工性に優れているからである。もちろん、本実施例で用いた幅広の剣先形以外の形状であってもよい。
【００４２】
転圧プレートを装着する支持体たるサンダは、転圧作業に十分な強度の振動を得るためにも、１．６ｋｇ程度以上の重量であることが望ましい。
【００４３】
サンダと転圧プレートとは、直接ねじで留めて固定することができるが、実施例では面ファスナー（業務用のマジックテープ（登録商標））を用いた。面ファスナーの大きさは、転圧プレート側は縦２０ｃｍ程度、横１０ｃｍ程度、一方、サンダ側は縦２３ｃｍ程度、横１０ｃｍ程度とした。サンダ側の面ファスナーは、サンダとして研磨紙を使用する際と同じように、クリップで挟んで固定した。
【００４４】
サンダと転圧プレートからなる手持ち式プレート転圧機を用いて、擬似的な建物基礎工事の試験をした。その結果、手作業で行う場合と比較して、コンクリートやモルタルに混ぜる水は半分量以下で作業可能であった。したがって、手作業の場合と異なり、コンクリートやモルタルの上に乗って作業することができ、作業性が向上した。また、短時間で乾き、熟練者ではなく素人が作業した場合でも、きれいな仕上がりを得ることができた。
【００４５】
モルタル内の砂、水分、セメントの粒子が本発明の手持ち式プレート転圧機により振動を与えられ、それによって撹拌されることにより、モルタルの硬化に必要な水分がモルタル内全体に行き渡るため、水分が従来よりも少なくて済むものと考えられた。さらにまた、水は、砂やセメントよりも比重が小さいため、仕上げに必要な水分が表面に浮き出て来、そのために艶出しに必要な水分も得られるものと観察された。
【００４６】
通常、建物基礎工事は、下地と仕上げの２回に分けて作業するが、本発明の手持ち式プレート転圧機を用いることで、１回の作業で仕上げまで完成することができた。つまり、下地作業後に水を撒いたり、２回目として改めて仕上げ作業をする必要がないため、仕上がりはより大きな強度が得られた。
【産業上の利用可能性】
【００４７】
本発明の手持ち式プレート転圧機等によれば、従来であれば転圧作業が不可能または困難だったマンホール周りの掘削工事、住宅基礎工事、ブロック積み上げ工事といった比較的小規模または狭所において、転圧作業を行うことができるようになる。したがって、建築・建設・土木その他関連産業上の利用性が高い発明である。
【符号の説明】
【００４８】
１、１１、２１…転圧プレート
３、１３、２３…支持体
５、１５…振動発生部
８、１８…操作用把持部
１０、１１０、２１０…手持ち式プレート転圧機
１２、２２Ａ、２２Ｂ…固定手段
１４、２４…伝動プレート
【図１】
0005356546.tif 000002
【図１−２】
0005356546.tif 000003
【図４】
0005356546.tif 000004
【図５Ａ】
0005356546.tif 000005
【図５Ｂ】
0005356546.tif 000006
【図２】
0005356546.tif 000007
【図３】
0005356546.tif 000008